(57)【特許請求の範囲】
【請求項１】
器具本体に取付ける取付面を有するソケット本体と、前記ソケット本体内で前記取付面に接近して配置された第１の一対の導電板に接続されかつ前記取付面から離れる方向に傾斜したランプピン受け用の第１の一対の受け金具と、前記第１の一対の導電板に対して前記取付面から離れて配置された第２の一対の導電板に接続されかつ前記第１の一対の受け金具の前記取付面と反対側にほぼ重なるように位置して前記第１の一対の受け金具とほぼ平行に傾斜したランプピン受け用の第２の一対の受け金具とを備え、前記第１の一対の受け金具および前記第２の一対の受け金具は、前記第１の一対の導電板および前記第２の一対の導電板よりそれぞれ延出して傾斜したピン保持部と、前記ピン保持部の両側部を前記取付面側に向けて折曲するとともに前記ピン保持部よりも先方に延出したピン挟持片とを有し、前記第１の一対の受け金具の前記ピン挟持片は、その前記第１の一対の導電板側端縁が前記取付面と平行に形成されていることを特徴とするランプソケット。
【請求項２】
前記第１の一対の導電板と前記第１の一対の受け金具、および前記第２の一対の導電板と前記第２の一対の受け金具はそれぞれ一体形成されたものであり、前記第２の一対の導電板の板厚を前記第１の一対の導電板の板厚よりも薄くした請求項１記載のランプソケット。
【請求項３】
前記ソケット本体は点灯装置の取付部を有し、前記第１の一対の導電板の一方は安定器接続端子を有し、他方は電源接続端子を有し、前記第２の一対の導電板はそれぞれ点灯装置接続部を有する請求項１記載のランプソケット。
【請求項４】
前記取付部がグロー管用ソケットである請求項３記載のランプソケット。
【請求項５】
請求項１、請求項２、請求項３または請求項４記載のランプソケットを有する照明器具。
【発明の詳細な説明】
【０００１】
【発明の属する技術分野】
この発明は、ランプソケットおよび照明器具に関するものである。
【０００２】
【従来の技術】
従来例（例えば実公平６−１９１７５号、実公平６−１９１７６号）の環形蛍光灯用のランプソケットは、図７に示すように４本のランプピンに対応した数の受け金具１００ａ、１００ｂ、１０１ａ、１０１ｂがソケット本体１０２に設けられ、かつランプピンを有する口金が傾いた環形蛍光灯に対応して器具本体１０３に取付ける取付面１０４に対して受け金具１００ａ、１００ｂ、１０１ａ、１０１ｂが傾斜して、ランプピンを挿入しやすくしている。
【０００３】
このランプソケットは、一対の受け金具１０１ａ、１０１ｂがソケット本体１０２内の取付面１０４側の導電板１０５に接続され、他の一対の受け金具１００ａ、１００ｂが導電板１０５から所定の絶縁距離を離れるように取付面１０４から浮いて配置された導電板１０６に接続される。また各受け金具１００ａ、１００ｂ、１０１ａ、１０１ｂとも、導電板１０５、１０６の端部を延長してピン保持部１０７を形成し、このピン保持部１０７を取付面１０４から離れる方向に傾斜状態に折曲し、さらにピン保持部１０７の両側を取付面１０４と反対向きに折曲するとともにピン保持部１０７よりも先方に延出しかつ先端部の間隔が狭くなるように屈曲したピン挟持片１０８を形成している。１０９はソケット本体１０２の受け金具１００ａ、１００ｂ、１０１ａ、１０１ｂの両側に突出したランプ支持片である。
【０００４】
【発明が解決しようとする課題】
しかし、導電板１０５、１０６の相互間の距離を絶縁のため一定以上に確保する必要があり、またランプ保持力のため受け金具１００ａ、１００ｂ、１０１ａ、１０１ｂの長さも一定以上に確保する必要があるため、取付面１０４からピン挟持片１０８の先端までの寸法が大きくなり、そのため取付面１０４から最も離れるランプ支持片１０９の先端までの距離が大きくなるので大型化し、環形ランプが器具本体から離れることになるため照明器具が厚型化するという欠点があった。
【０００５】
したがって、この発明の目的は、ランプを取付面により一層接近することができ、照明器具の薄型化が可能なランプソケットおよび照明器具を提供することである。
【０００６】
【課題を解決するための手段】
請求項１記載のランプソケットは、器具本体に取付ける取付面を有するソケット本体と、前記ソケット本体内で前記取付面に接近して配置された第１の一対の導電板に接続されかつ前記取付面から離れる方向に傾斜したランプピン受け用の第１の一対の受け金具と、前記第１の一対の導電板に対して前記取付面から離れて配置された第２の一対の導電板に接続されかつ前記第１の一対の受け金具の前記取付面と反対側にほぼ重なるように位置して前記第１の一対の受け金具とほぼ平行に傾斜したランプピン受け用の第２の一対の受け金具とを備え、前記第１の一対の受け金具および前記第２の一対の受け金具は、前記第１の一対の導電板および前記第２の一対の導電板よりそれぞれ延出して傾斜したピン保持部と、前記ピン保持部の両側部を前記取付面側に向けて折曲するとともに前記ピン保持部よりも先方に延出したピン挟持片とを有し、前記第１の一対の受け金具の前記ピン挟持片は、その前記第１の一対の導電板側端縁が前記取付面と平行に形成されていることを特徴とするものである。
【０００７】
請求項１記載のランプソケットによれば、第２の一対の受け金具のピン挟持片が取付面に向けて折曲されているため、ランプソケットの高さを低減でき、ソケット全体を薄型化できる。そのためランプが取付面に近づき、照明器具のグローブとの距離が取れるため、ランプの影が出にくくなり、しかも照明器具全体の薄型化を図れる。
【０００８】
請求項２記載のランプソケットは、請求項１において、前記第１の一対の導電板と前記第１の一対の受け金具、および前記第２の一対の導電板と前記第２の一対の受け金具はそれぞれ一体形成されたものであり、前記第２の一対の導電板の板厚を前記第１の一対の導電板の板厚よりも薄くしたものである。
【０００９】
請求項２記載のランプソケットによれば、請求項１と同様な効果のほか、口金の傾いた環形蛍光灯を装着するとき、先に挿入される取付面から遠い側の受け金具の板厚が薄いため、挿入力を小さく設定でき、ランプの装着がしやすい。
【００１０】
請求項３記載のランプソケットは、請求項１において、前記ソケット本体は点灯装置の取付部を有し、前記第１の一対の導電板の一方は安定器接続端子を有し、他方は電源接続端子を有し、前記第２の一対の導電板はそれぞれ点灯装置接続部を有するものである。
【００１１】
請求項３記載のランプソケットによれば、請求項１と同様な効果のほか、ランプ始動時に高電圧がかかる点灯装置側となる第２の一対の導電板は、取付面までの沿面距離が、第１の一対の導電体と取付面までの沿面距離よりも長くなるので、耐トラッキング性能に優れ、絶縁距離を確保することができるようになる。
【００１２】
請求項４記載のランプソケットは、請求項３において、前記取付部がグロー管用ソケットである。
【００１３】
請求項４記載のランプソケットによれば、請求項３と同様な効果のほか、グロー管の受け金部を薄くでき、ソケット全体を薄型化でき、照明器具全体のより一層の薄型化を可能にする。
【００１４】
請求項５記載の照明器具は、請求項１、請求項２、請求項３または請求項４記載のランプソケットを有するものである。
【００１５】
請求項５記載の照明器具によれば、請求項１、請求項２、請求項３または請求項４と同様な効果がある。
【００１６】
【発明の実施の形態】
この発明の一実施の形態を図１から図６により説明する。すなわち、このランプソケットは、ソケット本体１と、第１の一対の受け金具２ａ、２ｂと、第２の一対の受け金具３ａ、３ｂとを有する。
【００１７】
ソケット本体１は器具本体４に取付ける取付面５を有する。実施の形態では、図２に示すように、取付面５を有する平板状の樹脂ボディ６と、この樹脂ボディ６に被さる樹脂カバー７と、樹脂ボディ６と樹脂カバー７に挟持される栓受体８とを有する。１８は点灯装置のソケットでありグロー管用の取付部、２１は速結端子解錠釦装着穴、２２は解錠ボタン、２３は導電板位置決め部群、２４はカバー取付爪、２５、２６はランプ支持片、２７は取付爪２４の係止孔である。
【００１８】
第１の一対の受け金具２ａ、２ｂは、ソケット本体１内で取付面５に接近して配置された第１の一対の導電板９ａ、９ｂに接続されかつ取付面５から離れる方向に傾斜している。実施の形態の第１の一対の受け金具２ａ、２ｂは、第１の一対の導電板９ａ、９ｂより延出したピン保持部１１と、このピン保持部１１の両側部を取付面５に向けて折曲するとともにピン保持部１１の先方より延出したピン挟持片１２とを有する。ピン保持部１１の先端は第２の受け金具３ａを示す図３（ａ）のように、相互間が狭くなるように屈曲部１３を形成している。
【００１９】
第２の一対の受け金具３ａ、３ｂは、第１の一対の導電板９ａ、９ｂに対して取付面５から離れて配置された第２の一対の導電板１０ａ、１０ｂに接続されかつ第１の一対の受け金具２ａ、２ｂに重なる位置に第１の一対の受け金具２ａ、２ｂとほぼ平行に傾斜している。第２の一対の受け金具３ａ、３ｂは第１の一対の受け金具２ａ、２ｂと同構造であり、第２の一対の導電板１０ａ、１０ｂより延出して傾斜したピン保持部１１と、このピン保持部１１の両側部を取付面５に向けて折曲するとともにピン保持部１１より先方に延出したピン挟持片１２とを有する。
【００２０】
また第１の一対の導電板９ａ、９ｂと第１の一対の受け金具２ａ、２ｂ、および第２の一対の導電板１０ａ、１０ｂと第２の一対の受け金具３ａ、３ｂはそれぞれ一体形成されたものであり、第２の一対の導電板１０ａ、１０ｂの板厚を第１の一対の導電板９ａ、９ｂの板厚よりも薄くしている。第１の導電板９ａ、９ｂは例えば約０．６ｍｍ厚、第２の導電板１０ａ、１０ｂは例えば約０．４ｍｍ厚である。
【００２１】
さらにソケット本体１は上記したように点灯装置の取付部１８を有するものであり、第２の一対の導電板１０ａ、１０ｂはそれぞれ点灯装置接続部１６を有し、第１の一対の導電板９ａ、９ｂの一方は安定器接続端子１４を有し、他方は電源接続端子１５を有するものである。安定器接続端子１４ははんだ付け端子、電源接続端子１５は速結端子であり、また点灯装置接続部１６は導電板１０ａ、１０ｂより取付面５に垂直となるように折曲延出したもので、先端にグロー管のピンを受ける凹部１７をわん曲している。１９は速結端子で形成したもう一方の電源接続端子であり、電源接続端子１５と並設されている。２０は電源接続端子１９に一体に形成されたもう一方の安定器接続端子である。
【００２２】
これらの導電板９ａ、９ｂ、１０ａ、１０ｂは板ばねを用い、樹脂ボディ６の位置決め部２３にそれぞれ位置決めされている。速結端子に対しては樹脂カバー７に設けた解錠釦２２が対向し、解錠釦２２を押すことにより解錠可能に構成している。また各端子は他の端子構造にすることができる。
【００２３】
なお、３０は電源電線挿入穴、３１は電源接続端子１５、１９に入力される電力を確認する電気検査穴、３２はソケット本体の取付ねじ穴、３３は栓受体８のランプピン挿入穴、３４はグロー管取付部１８のグローピン挿入穴、３５は第１の受け金具２ａ、２ｂ、第２の受け金具３ａ、３ｂに挿着される環形蛍光灯のランプピンである。
【００２４】
この実施の形態によれば、第２の一対の受け金具２ａ、２ｂのピン挟持片１２が取付面５に向けて折曲されているため、ランプソケットの高さを低減でき、ソケット全体を薄型化できる。すなわち、図１（ｂ）に示す従来例と比較すると、導電板２ａ、２ｂと３ａ、３ｂ間の絶縁距離Ｌ1 、およびランプ保持力を得るためのピン挟持片１２の長さＬ2 を同じとすると、取付面５側の導電板９ａ、９ｂからピン挟持片１２の先端までの寸法Ｌ3 、Ｌ3 ′は、Ｌ3 ＜Ｌ3 ′となり、導電板９ａ、９ｂからランプ支持片１２の先端までの距離Ｌ4 、Ｌ4 ′は、Ｌ4 ＜Ｌ4 ′となる。
【００２５】
そのため、ランプが取付面５に近づいた取付状態となり、照明器具の後述のグローブとの距離が取れるため、ランプの影が出にくくなり、しかも照明器具全体の薄型化を図れる。
【００２６】
また、参考例として図３（ｂ）に示すように、ピン保持部１１′を取付面５側に接近するように傾斜し、その両側よりピン挟持片１２′をほぼ直角に折曲することも可能であるが、この構成では歩留りが悪くなる。
【００２７】
また、口金の傾いた環形蛍光灯を装着するとき、先に挿入される取付面５から遠い側の受け金具３ａ、３ｂの板厚が薄いため、挿入力を小さく設定でき、ランプピン３５の装着がしやすい。すなわち、環形蛍光灯をランプソケットに装着するとき、ランプ口金が垂直に対して斜めになっているため、取付面５から離れた側のランプピン３５を先にピン挟持片１３に入れて、位置合わせをしながら４つのランプピンを挿入する。このときピン挟持片１３の板厚が薄いので、挿入力が小さくランプの装着が容易になる。一方、ランプの環形の径に対して外側である、取付面５に近いピン挟持片１３は取付面５から離れたピン挟持片１３よりも振動などによる負荷がかかるが、第１の受け金具２ａ、２ｂおよび導電板９ａ、９ｂの板厚が厚くランプピン保持力が大きくできる。
【００２８】
また口金の傾いた環形蛍光灯を装着するとき、受金表面に対してずれて挿入されるが、受け金具３ａ、３ｂのピン保持部１１とピン挟持片１２とでなすコの字の開口側からランプピン３５が接触するため、コの字形状が開きやすく、挿入しやすい。
【００２９】
さらに、ランプ始動時に高電圧がかかる点灯装置側となる第２の一対の導電板１０ａ、１０ｂは、取付面５までの沿面距離が第１の一対の導電板９ａ、９ｂと取付面５までの沿面距離よりも長くなるので、耐トラッキング性能に優れ、絶縁距離を確保することができるようになる。
【００３０】
またグロー管を用いたため、ソケット全体を薄型化できる。すなわち、例えば電子スタータを複合化した場合は、電子スタータ自身がグロー管に比べて大きいため、ソケット全体を小形化することができなかった。Ｅ型受け金のグローソケットを複合化した場合は、ねじ込み部の高さがあるためソケット全体を薄くすることができなかった。そこで、点灯装置にグロー管を用いることで、受け金部を薄くでき、ソケット全体を小型化できるとともに照明器具全体の薄型化が可能になる。
【００３１】
また電源接続端子１５側の導電板９ａ、９ｂの板厚が厚いことから、例えば速結端子としても電線を確実に固定できるとともに、ランプ点灯時の電流による発熱も小さくできる。
【００３２】
図６は上記のランプソケットを照明器具に適用した状態の斜視図である。器具本体５０は円板形をなし、中央部に天井取付具５１を設け、天井の引掛シーリングに取付けている。５２は上記のランプソケット、５３は安定器、５４は環形ランプ、５５はグロー管、５６は器具本体５０の下面を被覆するグローブである。
【００３３】
なお、この発明において、点灯装置は電子スタータでもよい。また第１の受け金具２ａ、２ｂのピン挟持片１２は取付面５と反対側に向いたものでもよい。
【００３４】
【発明の効果】
請求項１記載のランプソケットによれば、第２の一対の受け金具のピン挟持片が取付面に向けて折曲されているため、ランプソケットの高さを低減でき、ソケット全体を薄型化できる。そのためランプが取付面に近づき、照明器具のグローブとの距離が取れるため、ランプの影が出にくくなり、しかも照明器具全体の薄型化を図れる。
【００３５】
請求項２記載のランプソケットによれば、請求項１と同様な効果のほか、口金の傾いた環形蛍光灯を装着するとき、先に挿入される取付面から遠い側の受け金具の板厚が薄いため、挿入力を小さく設定でき、ランプの装着がしやすい。
【００３６】
請求項３記載のランプソケットによれば、請求項１と同様な効果のほか、ランプ始動時に高電圧がかかる点灯装置側となる第２の一対の導電板は、取付面までの沿面距離が、第１の一対の導電体と取付面までの沿面距離よりも長くなるので、耐トラッキング性能に優れ、絶縁距離を確保することができるようになる。
【００３７】
請求項４記載のランプソケットによれば、請求項３と同様な効果のほか、グロー管の受け金部を薄くでき、ソケット全体を薄型化でき、照明器具全体のより一層の薄型化を可能にする。
【００３８】
請求項５記載の照明器具によれば、請求項１、請求項２、請求項３または請求項４と同様な効果がある。
【図面の簡単な説明】
【図１】（ａ）はこの発明の一実施の形態の要部断面図、（ｂ）は高さ比較のための従来例の部分断面図である。
【図２】ランプソケットの分解斜視図である。
【図３】（ａ）は受け金具の部分斜視図、（ｂ）は参考例の部分斜視図である。
【図４】導電板の配置状態の斜視図である。
【図５】ランプソケットの外観斜視図である。
【図６】環形蛍光灯照明器具のグローブを外した状態の斜視図である。
【図７】（ａ）は従来例の部分断面図、（ｂ）はその受け金具の部分斜視図である。
【符号の説明】
１             ソケット本体
２ａ、２ｂ     第１の一対の受け金具
３ａ、３ｂ     第２の一対の受け金具
４             器具本体
５             取付面
９ａ、９ｂ     第１の一対の導電板
１０ａ、１０ｂ 第２の一対の導電板
１１           ピン保持部
１２           ピン挟持片
１４           安定器接続端子
１５           電源接続端子
１６           点灯装置接続部
１８           取付部
【図１】
0004376418.tif 000002
【図２】
0004376418.tif 000003
【図３】
0004376418.tif 000004
【図４】
0004376418.tif 000005
【図５】
0004376418.tif 000006
【図６】
0004376418.tif 000007
【図７】
0004376418.tif 000008